(57)【要約】【課題】Ｕ字型形状の共鳴振動板にカムを嵌挿させ、ゲーム盤、盤台側調整ボルトを締付け、ゲーム盤、ゲーム盤台側遊嵌支持部で共鳴振動板を押え付け調整する相撲ゲーム盤。【解決手段】相撲ゲーム盤台にＵ字型形状の共鳴振動板を枢着し、Ｕ字型形状の共鳴振動板の間に電動モータで回転するカムを嵌挿し、共鳴振動板の上方先端に相撲ゲーム盤を取着、共鳴振動板の二つの上下のゲーム盤、ゲーム盤側調整ボルトを締付けゲーム盤、ゲーム盤台遊嵌支持部で共鳴振動板を押え付け共鳴振動を調整、Ｕ字タイプの相撲力士に胸部を設けてなる相撲ゲーム盤。【選択図】図１
0003116474.tif 000002
【実用新案登録請求の範囲】
【請求項１】
相撲ゲーム盤台４にＵ字型形状の共鳴振動板６を共鳴振動板取付金具１６で枢着し、電動モータ３で回転するカム９をＵ字型形状の共鳴振動板６の間に嵌挿し設け、Ｕ字型形状の共鳴振動板６を二つに分けた上下方の、下方はゲーム盤台側遊嵌支持部１２でスプリングバネ１７を介して下方の共鳴振動板６を遊嵌取着して、ゲーム盤台側調整ボルト８でスプリングバネ１７を締付け調整自在にし、Ｕ字型形状の共鳴振動板６の二つに分けた上下方の、上方はゲーム盤側遊嵌支持部１１でスプリングバネ１７を介して上方の共鳴振動板６を遊嵌取着し、ゲーム盤側調整ボルト７でスプリングバネ１７を締付け調整自在にし、当該上方のＵ字型形状の共鳴振動板６の先端に共鳴振動板取着片１５で相撲ゲーム盤５を取着して相撲ゲーム盤台４の上方に相撲ゲーム盤５を設けるのと、Ｕ字タイプの相撲力士１に首から胸へと模した胸部２を設けた相撲力士１で構成してなる相撲ゲーム盤。
【考案の詳細な説明】
【技術分野】
【０００１】
本考案は此れまでに知られている手のほかに、電磁マグネット及び電動モータを使用したゲーム盤を直接叩いて振動を与えて相撲力士をゲーム盤上で振動動作させ戦わせるようにした相撲ゲーム盤に関る。
【背景技術】
【０００２】
従来の相撲ゲーム盤においては、相撲力士をゲーム盤上で振動動作させるものを、手のほかに電磁マグネットの作動片を振動させるものと、電動モータで首振り回転するコイルスプリングの先端でゲーム盤を叩き相撲力士を振動動作させ戦わせる相撲ゲーム盤がある。
【考案の開示】
【考案が解決しようとする課題】
【０００３】
本考案は、従来の手のほかに、電磁マグネットの作動片を振動動作させるものと、電動モータで首振り回転するコイルスプリングの先端でゲーム盤を叩き相撲力士を振動動作
遊戯の方法では単調な遊びに終始し、すぐ飽きてしまう欠点があった、本発明はこの点に艦がみなされたもので、相撲ゲーム盤台に相撲ゲーム盤と、共鳴振動させる共鳴振動板をどう枢着するかの課題と、発生する自然共鳴周波数の共鳴振動板を共鳴振動可能に遊嵌取着したらいいか、発生させた強自然共鳴周波数の共鳴振動板を共鳴振動をゲーム遊戯に適宜な共鳴振動に調整自在にするかの課題と、相撲ゲーム盤上で相撲力士がゲーム遊戯に趣向を凝らす展開が見られるようにした相撲ゲーム盤。
【課題を解決するための手段】
【０００４】
本考案は相撲ゲーム盤台に共鳴振動板取付金具で枢着し設けたＵ字型形状の共鳴振動板の間に電動モータで回転するカムを嵌挿して、カムを回転させることで自然共鳴周波数の共鳴振動を発生させ、Ｕ字型形状の共鳴振動板を二つに分けた上下方の、上方の先端に共鳴振動板取着片で取着した相撲ゲーム盤を自然共鳴周波数の共鳴振動させて課題を解決，Ｕ字型形状の共鳴振動板の二つに分けた上下方の、下方はゲーム盤台側遊嵌支持部でスプリングバネを介して下方の共鳴振動板を遊嵌取着し、スプリングバネでゲーム盤台側調整ボルトを締付け調整自在にしたから、ゲーム盤台側遊嵌支持部で下方の共鳴振動板押え付けて共鳴振動を強制的に停止させることで課題を解決し、Ｕ字型形状の共鳴振動板の二つに分けた上下方の、上方はゲーム盤側遊嵌支持部でスプリングバネを介して上方の共鳴振動板を遊嵌取着し、ゲーム盤側調整ボルトでスプリングバネを締付け調整自在にしたから、ゲーム盤側遊嵌支持部で上方の共鳴振動板を押え付け強自然共鳴周波数の強共鳴振動に対しても相撲ゲーム盤を適宜に共鳴振動を調整対応させ課題を解決し、ゲーム盤側遊嵌支持部と隙間を有し共鳴振動板を振動自在にし、ゲーム盤台側遊嵌支持部と隙間を有し共鳴振動板を振動自在にして課題を解決し、Ｕ字タイプの相撲力士に首から胸へと模した胸部を設けてゲーム盤上で、立会い時に、相撲力士の平行に突き出した左右腕の手が、首から胸へと模した胸部に当たり、立会い時に、相撲力士の突き倒しが見られるゲーム遊戯に趣向を凝らすようにして課題を解決した相撲ゲーム盤である。
【考案の効果】
【０００５】
本考案は相撲ゲーム盤台に共鳴振動板取付金具で枢着し設けたＵ字型形状の共鳴振動板の間に電動モータで回転するカムを嵌挿して、カムを回転させることで自然共鳴周波数の共鳴振動を発生させ、Ｕ字型形状の共鳴振動板を二つに分けた上下方の、上方の先端に共鳴振動板取着片で取着した相撲ゲーム盤を自然共鳴周波数の共鳴振動させることが出来、Ｕ字型形状の共鳴振動板の二つに分けた上下方の、下方はゲーム盤台側遊嵌支持部でスプリングバネを介して下方の共鳴振動板を遊嵌取着してスプリングバネでゲーム盤台側調整ボルトを締付け調整自在にしたからゲーム盤台側遊嵌支持部で下方の共鳴振動板を締付け強制的に下方の共鳴振動板を共鳴振動を停止させることも出来、Ｕ字型形状の共鳴振動板の二つに分けた上下方の、上方はゲーム盤側遊嵌支持部でスプリングバネを介して上方の共鳴振動板を遊嵌取着し、ゲーム盤側調整ボルトでスプリングバネを締付け調整自在にしたから、ゲーム盤側遊嵌支持部で強自然共鳴周波数の強共鳴振動の上方の共鳴振動板を締付け押え付け相撲ゲーム盤の共鳴振動を適宜調整出来るようにしたものである。ゲーム盤側遊嵌支持部と隙間を有し共鳴振動板を振動自在にし、ゲーム盤台側遊嵌支持部と隙間を有し共鳴振動板を振動自在にしたものである。Ｕ字タイプの相撲力士に首から胸へと模した胸部を設けて立会い時に、相撲力士の突き出した左右腕の手が、首から胸へと模した胸部に当たり、立会い時に、相撲力士の突き倒しが見られる従来にない構成のゲーム盤上でゲーム遊戯に趣向をこらすようにした相撲ゲーム盤である。
【考案を実施するための最良の形態】
【０００６】
以下、本考案の実施の形態を図１〜図３に基づいて説明する。
【実施例】
【０００７】
図１で本考案を説明すると、４は相撲ゲーム盤台であり、相撲ゲーム盤台４にはＵ字型形状の共鳴振動板６が共鳴振動板取付金具１６で枢着され、Ｕ字型形状の共鳴振動板６の間に電動モータ３で回転するカム９が嵌挿させ、Ｕ字型形状の共鳴振動板６の二つに分けた上下方の、下方はゲーム盤台側遊嵌支持部１２でスプリングバネ１７を介して下方の共鳴振動板６を遊嵌取着し、ゲーム盤台側調整ボルト８でスプリングバネ１７を締付け調整自在にして、Ｕ字型形状の共鳴振動板６の二つに分けた上下方の、上方はゲーム盤側遊嵌支持部１１でスプリングバネ１７を介して上方の共鳴振動板６を遊嵌取着し、ゲーム盤側調整ボルト７でスプリングバネ１７を締付け調整自在にし、上方のＵ字型形状の共鳴振動板６の先端に共鳴振動板取着片１５で相撲ゲーム盤５を取着して、相撲ゲーム盤台４の上方に相撲ゲーム盤５を自然共鳴周波数で共鳴振動させるように設けたものである。
図２は、Ｕ字型形状の共鳴振動板６を二つに分けた上下方の間にカム９を嵌挿し、カム９は電動モータ３に枢着し、電動モータ３の回転によりカム９を回転させることで共鳴振動板が自然共鳴周波数の共鳴振動を発生させる。次に図により説明すると、スイッチ１４が閉じ、電池１３により可変抵抗１０に入り可変抵抗１０の抵抗値を可変させ上下させ、電動モータ３の回転速度は可変抵抗１０で回転速度の加減速を調整自在にしたから、加速して高速回転させ、Ｕ字型形状の共鳴振動板６はカム９の高速回転で、Ｕ字型形状の共鳴振動板６より強自然共鳴周波数の強共鳴振動を発生させることができ、相撲ゲーム盤５を強自然共鳴周波数で共鳴振動させるることができる。また、減速させて低速回転と調整自在にしたから、弱自然共鳴周波数の弱共鳴振動を発生させることができ、相撲ゲーム盤５を弱自然共鳴周波数の弱共鳴振動で今までと違うゲーム遊戯に趣向を凝らせる。
Ｕ字型形状の共鳴振動板６の二つに分けた上下方の、上方先端に設けた相撲ゲーム盤５下で共鳴振動板６との間で、ゲーム盤側遊嵌支持部１１で共鳴振動を制限規制させ、ゲーム盤側調整ボルト７を締付け押え付け強自然共鳴周波数の共鳴振動でゲーム遊戯に趣向を凝らす適宜に調整出来るようにし、Ｕ字型形状の共鳴振動板６の二つの上下方の、下方にゲーム盤台側遊嵌支持部１２で共鳴振動を制限規制し、ゲーム盤台側調整ボルト８で締付け押え付け強自然共鳴周波数の共鳴振動でゲーム遊戯に趣向を凝らす適宜に調整出来るようにしたものである。
図３は、相撲力士１の左右腕を平行に突き出す姿勢のスタイルのものが従来の相撲力士のスタイルのものである。新しくは相撲力士１のスタイルを右四つの姿勢と、左四つの姿勢とし、相撲力士１の右左腕の位置を、右四つは右を高く、左腕を低くし、相撲力士が左四つでは左を高く、右を低くした相撲力士１にしたものである。
本考案は、ゲーム遊戯に使用するＵ字タイプの相撲力士１に首から胸を模した胸部２を設けたから相撲ゲーム盤上で、相撲力士１が平行に突き出す左右腕の手が、首から胸へと模した胸部２に当たり、相撲力士の突き動作で立会い時に突き倒しが見られる新しいゲーム遊戯に趣向を凝らした構成にしたものである。
【産業上の利用可能性】
【０００８】
本考案によればＵ字型形状の共鳴振動板により相撲ゲーム盤を自然共鳴振動周波数で共鳴振動させ、Ｕ字型形状の共鳴振動板を二つに分けた上下方を遊嵌取着したゲーム盤側、ゲーム盤台側遊嵌支持部でゲーム盤側、ゲーム盤台側調整ボルトを締付け押え付け、下方の共鳴振動板は強制的に相撲ゲーム盤台に固着停止の調整が出来、上方の共鳴振動板の１個に強自然共鳴周波数を集中させて、強共鳴振動であっても共鳴振動を押え付け調整して従来にない相撲ゲーム盤を繊細な共鳴振動させ、Ｕ字タイプの相撲力士に首から胸へと模した胸部を設けたから相撲ゲーム盤上で、相撲力士の左右腕を平行に突き出した突き動作で、立会い時、突き倒しが見られる新しいゲーム遊戯に趣向を凝らした相撲ゲーム盤。
【図面の簡単な説明】
【０００９】
【図１】本考案の相撲ゲーム盤のである。
【図２】本考案の相撲ゲーム盤の要部詳細及び電気回路図である。
【図３】本考案のＵ字タイプの相撲力士に胸部を設けた相撲力士の説明図である。
【符号の説明】
【００１０】
１    相撲力士                          ２    胸部         
３    電動モータ                        ４    相撲ゲーム盤台
５    相撲ゲーム盤                      ６    共鳴振動板                                  
７    ゲーム盤側調整ボルト              ８    ゲーム盤台側調整ボルト
９    カム                              １０  可変抵抗
１１  ゲーム盤側遊嵌支持部              １２  ゲーム盤台側遊嵌指示部
１３  電池                              １４  スイッチ
１５  共鳴振動板取着片                  １６  共鳴振動板取付金具  
１７  スプリングバネ
【図１】
0003116474.tif 000003
【図２】
0003116474.tif 000004
【図３】
0003116474.tif 000005